(57)【要約】  【課題】  カバーを容易に開閉可能であるだけでなくカバーを開位置で支持可能なカバー開閉機構を提供する。  【解決手段】  カバー開閉機構は、組み合わせ計量機１０に対して固定された位置に配置される回転体１８と、カバー１７に固定され、回転体１８に対して移動可能に係合し、１つの始点１９ａ、第１の終点１９ｂおよび第２の終点１９ｃを有する溝１９とを有する。【選択図】  図１
2006112821.tif 000002
【特許請求の範囲】
【請求項１】
略直方体の筐体と、前記筐体の上面を覆い、前記筐体に対して移動可能な逆凹型のカバーとを備えたカバー開閉機構であって、
前記カバーが前記筐体の上面を覆う閉状態と、前記カバーが前記筐体の上面を開放する少なくとも２つの異なる開状態を有することを特徴とするカバー開閉機構。
【請求項２】
前記筐体に対して固定された位置に配置される回転体と、
前記カバーに設けられ、１つの始点と少なくとも２つの終点を有し、前記回転体と摺動可能に係合する溝とを有することを特徴とする請求項１に記載のカバー開閉機構。
【請求項３】
前記溝が、前記回転体が前記溝の前記始点にあるときに前記カバーを前記閉位置に位置させ、前記回転体が前記溝の前記始点から第１の終点に移動したときに前記カバーを第１の開位置に位置させ、前記回転体が前記溝の前記始点から第２の終点に移動したときに前記カバーを前記第２の開位置に位置させるものであることを特徴とする請求項２に記載のカバー開閉機構。
【請求項４】
前記筐体の前面上辺から前記カバーの深さに等しい距離上方で、かつ、前記筐体の前面より前方の前記筐体に対して固定された位置に配置される回転体と、
前記カバーに固定され、１つの始点と少なくとも２つの終点を有し、前記回転体に対して移動可能に係合する溝とを有することを特徴とする請求項１に記載のカバー開閉機構。
【請求項５】
前記溝が、前記回転体が前記溝の前記始点から第１の終点に移動したときに前記カバーを前記カバーの後面下辺を支点とする跳ね上げ位置に位置させ、前記回転体が前記溝の前記始点から第２の終点に移動したときに前記カバーの後面が前記筐体の前面より前方となる開放位置に位置させるものであることを特徴とする請求項４に記載のカバー開閉機構。
【請求項６】
前記溝が、前記第１の終点に、前記回転体を係止する切り欠きを有することを特徴とする請求項５に記載のカバー開閉機構。
【発明の詳細な説明】
【技術分野】
【０００１】
本発明は、筐体の上面を覆うカバーを開閉するカバー開閉機構に係り、特に、カバーを、筐体上面を覆う閉状態から筐体の上面を開放する少なくとも２つの開状態に移動させることのできるカバー開閉機構に関する。
【背景技術】
【０００２】
食料品等の塵埃等の異物混入が許されない製品に適用する機械装置にあっては、動作中の異物混入を防止するために機械装置全体をカバーで覆うことが一般的である。
【０００３】
一方、機械装置の清掃・保守も必須であり、清掃・保守の際には、カバーが邪魔とならない配慮も必要である。
【０００４】
このため、通常運転時は機械装置全体を覆い、清掃・保守時には開状態とすることができるカバー開閉機構が既に提案されている（例えば、特許文献１参照）。
【０００５】
従来提案されている組み合わせ計量機のカバーは、図５に示すように、筐体９１の上面の一部９１Ｔと前面９１Ｆとを一体に形成したものである。
【０００６】
カバーは、固定上面９１Ｕの前端を支点に回転自在に取り付けられており、把手９２を持ち上げることにより跳ね上げ可能であり、組み合わせ計量機内のホッパ９３、９４等の清掃・保守が可能な構造となっている。
【０００７】
さらに、図６に示すように、上面カバー９５と前面カバー９６とを別体とし、前面カバー９６を観音開きとし、上面カバー９５を取り外し可能な構造とした組み合わせ計量機も実用化されている。
【特許文献１】特開平０７−４９２６１号公報（［００２３］、図２）
【発明の開示】
【発明が解決しようとする課題】
【０００８】
しかしながら、従来のカバー開閉機構は、カバーを開位置に保持するときに課題があった。
【０００９】
即ち、前者においては、カバーを跳ね上げ位置に維持するための支持機構が必要となるだけでなく、機械装置の上面を製品供給用のダクトが貫通する場合にはカバーとダクトの干渉により跳ね上げ量が制限されてしまい、機械装置上面を完全に開放することが困難となる。
【００１０】
一方、後者においては、機械装置上面を完全に開放することは可能であるものの、上面カバー９５の取り外しに相当の労力を必要とするだけでなく、取り外した上面カバー９５の留置スペースも必要となる。
【００１１】
本発明は、従来の課題を解決するためになされたものであって、カバーを容易に開閉可能であるだけでなくカバーを開位置で支持可能なカバー開閉機構を提供することを目的とする。
【課題を解決するための手段】
【００１２】
本発明のカバー開閉機構は、略直方体の筐体と、前記筐体の上面を覆い、前記筐体に対して移動可能な逆凹型のカバーとを備えたカバー開閉機構であって、前記カバーが前記筐体の上面を覆う閉状態と、前記カバーが前記筐体の上面を開放する少なくとも２つの異なる開位置を有している。
【００１３】
この構成により、カバーを筐体上面から２つの異なる開位置に取り除くことができることとなる。
【００１４】
本発明のカバー開閉機構は、前記筐体に対して固定された位置に配置される回転体と、前記カバーに固定され、１つの始点と少なくとも２つの終点を有し、前記回転体と摺動可能に係合する溝とを有している。
【００１５】
この構成により、回転体を溝中で移動させることにより、カバーを２つの異なる開位置に移動させることができることとなる。
【００１６】
本発明のカバー開閉機構は、前記溝が、前記回転体が前記溝の前記始点にあるときに前記カバーを前記閉位置に位置させ、前記回転体が前記溝の前記始点から第１の終点に移動したときに前記カバーを第１の開位置に位置させ、前記回転体が前記溝の前記始点から第２の終点に移動したときに前記カバーを前記第２の開位置に位置させる構成を有している。
【００１７】
この構成により、カバーを第１の開位置または第２の開位置に位置させることができることとなる。
【００１８】
本発明のカバー開閉機構は、前記筐体の前面上辺から前記カバーの深さに等しい距離上方で、かつ、前記筐体の前面より前方の前記筐体に対して固定された位置に配置される回転体と、前記カバーに固定され、１つの始点と少なくとも２つの終点を有し、前記回転体に対して移動可能に係合する溝とを有している。
【００１９】
この構成により、カバーの後面を筐体の前面より前方に移動させることができることとなる。
【００２０】
本発明のカバー開閉機構は、前記溝が、前記回転体が前記溝の前記始点から第１の終点に移動したときに前記カバーを前記カバーの後面下辺を支点とする跳ね上げ位置に位置させ、前記回転体が前記溝の前記始点から第２の終点に移動したときに前記カバーの後面が前記筐体の前面より前方となる開放位置に位置させる構成を有している。
【００２１】
この構成により、カバーを跳ね上げ位置または開放位置に位置させることができることとなる。
【００２２】
本発明のカバー開閉機構は、前記溝が、前記第１の終点に、前記回転体を係止する切り欠きを有している。
【００２３】
この構成により、カバーを跳ね上げ位置で係止できることとなる。
【発明の効果】
【００２４】
本発明は、筐体に対して固定された位置に配置される回転体と、カバーに固定され、１つの始点と少なくとも２つの終点を有し、回転体に対して移動可能に係合する溝とを設けることにより、カバーを容易に開閉可能であるだけでなくカバーを開位置で支持可能なカバー開閉機構を提供できる。
【００２５】
特に、筐体上面が開放されるカバー開位置においては、清掃・保守員と計量ホッパとの接触を防止することができ、計量ホッパの重量を計測する秤装置を保護することが可能となる。
【発明を実施するための最良の形態】
【００２６】
（第１の実施形態）
以下図面を参照しつつ、本発明に係るカバー開閉機構の第１の実施形態を説明する。
【００２７】
図１は第１の実施形態のカバー開閉機構を備える組み合わせ計量機の斜視図、図２は第１の実施形態のカバー開閉機構を備える組み合わせ計量機の断面図であって、組み合わせ計量機１０は、４本の脚１１、１２、１３および１４に支持されている。
【００２８】
組み合わせ計量機１０の上面１０Ｕにはトラフ３１が、組み合わせ計量機１０の前面１０Ｆおよび後面１０Ｒには、上から順にストックホッパ３２、計量ホッパ３３、およびメモリホッパ３４が３段に設置されている。
【００２９】
組み合わせ計量機１０の上面を貫通するダクト１５を介して供給される食料品は、トラフ３１を経て、ストックホッパ３２に入り、計量ホッパ３３の重量が計量ホッパ３３に連結されている秤装置（図示せず）により計量され、メモリホッパ３４を経て組み合わせ計量機１０の底面から規定重量ずつ排出され、下流の包装機に搬送される。
【００３０】
組み合わせ計量機１０の前面１０Ｆおよび後面１０Ｒは、観音開きの前面扉１６により覆われ、上面１０Ｕはカバー１７により覆われる。
【００３１】
そして、組み合わせ計量機１０の上面１０Ｕを覆い、組み合わせ計量機１０に対して移動可能な逆凹型のカバー１７のカバー開閉機構は、カバー１７が組み合わせ計量機１０の上面を覆う閉位置の他に、カバー１７が組み合わせ計量機１０の上面１０Ｕを開放する少なくとも２つの異なる開位置を有する。
【００３２】
即ち、カバー開閉機構は、図１および図２に示すように、組み合わせ計量機１０に対して固定された位置に配置される回転体１８と、カバー１７に固定され、回転体１８と摺動可能に係合する溝１９とを有する。そして、溝１９は１つの始点１９ａ、第１の終点１９ｂおよび第２の終点１９ｃを有する。
【００３３】
実施の形態では回転体１８は、棒状部材２０により、組み合わせ計量機１０の前面上辺からカバー１７の深さに等しい距離上方で、かつ、組み合わせ計量機１０の前面より前方で組み合わせ計量機１０に固定された位置に支持される。.
そして、溝１９は、回転体１８が溝１９の１つの始点１９ａから第１の終点１９ｂに移動したときにカバー１７をカバー１７の後面下辺１７ａを支点とする跳ね上げ位置に位置させることができ、回転体１８が溝１９の第２の終点１９ｃに移動したときにカバー１７の後面１７Ｒが組み合わせ計量機１０の前面１０Ｆ（または背面１０Ｒ）より前方となる位置に位置させることができる形状を有する。
【００３４】
なお、溝１９は、第１の終点１９ｂに、回転体１８を係止する切り欠き１９ｄを有してもよい。
【００３５】
次に、図３（ａ）〜（ｃ）を参照しつつ、第１の実施形態のカバー開閉機構の動作を説明する。
【００３６】
図３（ａ）は、組み合わせ計量機１０の上面１０Ｕをカバー１７で覆った状態を示している。この状態では、回転体１８は、カバー１７の内側面に固定される溝１９の始点１９ａに位置している。
【００３７】
図３（ｂ）は、カバー１７をカバー１７の後面下辺１７ａを支点とする跳ね上げ位置とした状態を示している。カバー１７を跳ね上げ状態とするには、回転体１８が溝１９の始点１９ａから第１の終点１９ｂと第２の終点１９ｃとの分岐点１９ｅに到達するまでカバー１７を斜め上方に引き出し、その後回転体１８を第１の終点１９ｂに導き、カバー１７を跳ね上げ位置とする。そして、回転体１８を切り欠き１９ｄに導くことにより、カバー１７は跳ね上げ位置に維持される。
【００３８】
この状態においては、組み合わせ計量機１０の前面１０Ｆおよび後面１０Ｒに設置されているストックホッパ３２、計量ホッパ３３、およびメモリホッパ３４を取り外して、組み合わせ計量機１０の清掃を行うことが可能となる。
【００３９】
図３（ｃ）は、カバー１７が組み合わせ計量機１０の上面１０Ｕから完全に取り除かれた位置にある状態を示している。
【００４０】
この状態にするためには、まず、回転体１８が溝１９の始点１９ａから分岐点１９ｅを通過して第２の終点１９ｃに到達するまでカバー１７を斜め上方に引き出し、カバー１７を破線の状態に置く。そして、回転体１８が溝１９の第２の終点１９ｃに位置した状態でカバー１７を下方に回転させることにより、カバー１７を計量機１０の上面１０Ｕから完全に取り除くことができる。
【００４１】
この状態においては、組み合わせ計量機１０の上面１０Ｕからトラフ３１を清掃できるだけでなく、修理のためのトラフ３１の取り外し、および取り付けが可能となる。
【００４２】
特にトラフ３１の取り外し、取り付け時に、保守員が計量ホッパ３３に接触することを防止することができ、計量ホッパ３３の重量を計測する秤装置を保護することが可能となる。
【００４３】
以上説明したように、第１の実施形態によれば、組み合わせ計量機とカバーは回転体と溝により結合されるので、カバーを容易に開閉可能であるだけでなくカバーを２つの開位置で支持できることとなる。
（第２の実施形態）
第１の実施形態にあっては、カバー開閉機構は回転体と溝であったが、カバー開閉機構をリンク機構で構成することもできる。
【００４４】
図４は、第２の実施形態のカバー開閉機構を備えた組み合わせ計量機の側面図であって、組み合わせ計量機１０とカバー１７とはリンク機構２１で結合される。
【００４５】
リンク機構２１は、組み合わせ計量機１０に固定される第１の固定端２１ａと、第１の固定端２１ａに回転自在に係合する第１の結合部材２１ｂと、カバー１７に固定される第２の固定端２１ｃと、第２の固定端２１ｃに回転自在に係合する第２の結合部材２１ｄと、第１の結合部材２１ｂと第２の結合部材２１ｄとを回転自在に連結する連結節２１ｅとを有する。
【００４６】
図４（ａ）は、カバー１７が組み合わせ計量機１０の上面１０Ｕを覆った状態を示し、図４（ｂ）は、カバー１７を跳ね上げ位置にある状態を示す。
【００４７】
図４（ｃ）は、カバー１７を組み合わせ計量機１０の上面１０Ｕから完全に取り除いた状態を示す。この状態とするには、破線で示すように、一旦カバー１７を組み合わせ計量機１０の前面１０Ｆより前方に引き出したのちに、カバー１７を回転させて完全開放状態とする。
【００４８】
なお、カバー１７を、跳ね上げ状態、あるいは完全開放状態に維持するためには、第１の固定端２１ａ、第２の固定端２１ｃ、および連結節２１ｅに適当なストッパを設置することが必要である。
【産業上の利用可能性】
【００４９】
以上のように、本発明に係るカバー開閉機構は、カバーを容易に開閉可能であるだけでなくカバーを開位置で支持可能であるという効果を有し、組み合わせ計量機のカバーの開閉機構等として有効である。
【図面の簡単な説明】
【００５０】
【図１】本発明に係るカバー開閉機構を備えた組み合わせ計量機の斜視図
【図２】本発明に係るカバー開閉機構を備える組み合わせ計量機とカバーの側面図
【図３】第１の実施形態のカバー開閉機構を備えた組み合わせ計量機の側面図
【図４】第２の実施形態のカバー開閉機構を備えた組み合わせ計量機の側面図
【図５】従来のカバー開閉機構を備えた組み合わせ計量機の側面図
【図６】従来のカバー開閉機構を備えた組み合わせ計量機の斜視図
【符号の説明】
【００５１】
１０  組み合わせ計量機
１１、１２、１３、１４  脚
１５  ダクト
１６  前面扉
１７  カバー
１８  回転体
１９  溝
１９ａ  始点
１９ｂ  第１の終点
１９ｃ  第２の終点
２０  棒状部材
【図１】
2006112821.tif 000003
【図２】
2006112821.tif 000004
【図３】
2006112821.tif 000005
【図４】
2006112821.tif 000006
【図５】
2006112821.tif 000007
【図６】
2006112821.tif 000008